(57)【要約】【課題】構成の簡略化を図る。【解決手段】回路遮断器２０は、零相変流器ＺＣＴ１と、引き外し部と、駆動部５と、を備える。零相変流器ＺＣＴ１は、一次巻線を通過する電流に不平衡が生じた場合に、二次巻線から動作信号Ｓ１を出力する。一次巻線は、電源と負荷とを繋ぐ幹線９０、及び幹線９０以外の補助電線を含んでいる。引き外し部は、動作信号に応答して、幹線９０に電気的に接続される接点Ｃ１を閉状態から開状態へ移行させる引き外し動作を行う。駆動部５は、外部からの指示信号に応答して、補助電線に電流を流すことで、一次巻線を通過する電流に不平衡を生じさせる。【選択図】図１
2020080235.tif 000002
【特許請求の範囲】
【請求項１】
一次巻線が、電源と負荷とを繋ぐ幹線及び前記幹線以外の補助電線を含んでおり、前記一次巻線を通過する電流に不平衡が生じた場合に二次巻線から動作信号を出力する零相変流器と、
前記動作信号に応答して、前記幹線に電気的に接続される接点を閉状態から開状態へ移行させる引き外し動作を行う引き外し部と、
外部からの指示信号に応答して、前記補助電線に電流を流すことで、前記一次巻線を通過する前記電流に不平衡を生じさせる駆動部と、
を備える、
回路遮断器。
【請求項２】
前記回路遮断器は、
機械的な操作入力を受け付けるテスト釦への前記操作入力に応じてオンされるテストスイッチを有しており、前記テストスイッチがオンした場合に電流を流すことで、前記一次巻線を通過する前記電流に不平衡を生じさせるテスト用漏電発生回路を備えており、
前記補助電線は、前記テスト用漏電発生回路に含まれており、
前記駆動部は、
前記テストスイッチと電気的に並列に接続されており、前記指示信号に応答してオンされる駆動スイッチを備える、
請求項１に記載の回路遮断器。
【請求項３】
前記回路遮断器は、
機械的な操作入力を受け付けるテスト釦への前記操作入力に応じてオンされるテストスイッチを有しており、前記テストスイッチがオンした場合に電流を流すことで、前記一次巻線を通過する前記電流に不平衡を生じさせるテスト用漏電発生回路を備えており、
前記補助電線は、前記テスト用漏電発生回路に含まれており、
前記駆動部は、
前記指示信号に応答して動作して、前記テストスイッチをオンするアクチュエータを備える、
請求項１又は２に記載の回路遮断器。
【請求項４】
前記駆動部は、
前記幹線と電気的に絶縁されており、前記補助電線を含んでおり、前記指示信号に応じて電流が流れることで前記一次巻線を通過する前記電流に不平衡を生じさせる駆動用回路を備える、
請求項１〜３のいずれか１項に記載の回路遮断器。
【請求項５】
請求項１〜４のいずれか１項に記載の回路遮断器と、
前記回路遮断器を保持するキャビネットと、
を備える、
分電盤。
【請求項６】
一次巻線が、電源と負荷とを繋ぐ幹線及び前記幹線以外の補助電線を含んでおり、前記一次巻線を通過する電流に不平衡が生じた場合に二次巻線から動作信号を出力する零相変流器と、
前記動作信号に応答して、前記幹線に電気的に接続される接点を閉状態から開状態へ移行させる引き外し動作を行う引き外し部と、
を備える回路遮断器の駆動方法であって、
外部からの指示信号に応答して、前記補助電線に電流を流すことで、前記一次巻線を通過する前記電流に不平衡を生じさせることを含む、
回路遮断器の駆動方法。
【発明の詳細な説明】
【技術分野】
【０００１】
本開示は、回路遮断器、分電盤、及び回路遮断器の駆動方法に関し、より詳細には、電路を流れる電流に不平衡が生じた場合にこの電路を遮断する回路遮断器、分電盤、及び回路遮断器の駆動方法に関する。
【背景技術】
【０００２】
特許文献１には、従来の感震ブレーカアダプタの一例が記載されている。この感震ブレーカアダプタは、電気ブレーカの外筐に付着されて、外部からの振動に応じて電気ブレーカを遮断状態にさせる装置である。
【０００３】
この感震ブレーカアダプタは、押圧部と、作動スライダと、駆動部と、移動抑止部と、感震部と、を備えている。押圧部は、電気ブレーカのスイッチのレバーへ外力を加える。作動スライダは、押圧部を先端に有し、スイッチを切る方向及びその反対方向に移動可能である。駆動部は、本体に取り付けられ、作動スライダをスイッチを切る方向へ移動させる弾性体を有する。移動抑止部は、移動待機状態にされた作動スライダが、スイッチを切る方向へ移動することを抑える係合部及び被係合部からなる。感震部は、感震用ボールと、凹面状のボール受け皿と、を有する。
【０００４】
特許文献１の感震ブレーカアダプタでは、地震などの外部からの振動が感震ブレーカアダプタに与えられると、凹面上の皿に載った感震用ボールが上下、又は左右に移動する。振動に伴う感震用ボールの動きにより、係合部と被係合部との係合が外される。係合部と被係合部との係合が外れることで、作動スライダが、スイッチを切る方向へ移動する。
【先行技術文献】
【特許文献】
【０００５】
【特許文献１】特開２０１５−１４９８１２号公報
【発明の概要】
【発明が解決しようとする課題】
【０００６】
特許文献１の感震ブレーカアダプタは、感震部により振動を検知した場合に、作動スライダ、駆動部等を含む機構により電気ブレーカ（回路遮断器）のスイッチのレバー（ハンドル）を移動させることで、スイッチを切っている。そのため、電気ブレーカのスイッチを切るための機構が電気ブレーカの外側に必要であり、電気ブレーカ及び感震ブレーカアダプタを含むシステム全体の構成が複雑になる。
【０００７】
本開示の目的は、構成の簡略化を図ることが可能な回路遮断器、それを備えた分電盤、及びこの回路遮断器の駆動方法を提供することにある。
【課題を解決するための手段】
【０００８】
本開示の一態様に係る回路遮断器は、零相変流器と、引き外し部と、駆動部と、を備える。前記零相変流器は、一次巻線を通過する電流に不平衡が生じた場合に、二次巻線から動作信号を出力する。前記一次巻線は、電源と負荷とを繋ぐ幹線、及び前記幹線以外の補助電線を含んでいる。前記引き外し部は、前記動作信号に応答して、前記幹線に電気的に接続される接点を閉状態から開状態へ移行させる引き外し動作を行う。前記駆動部は、外部からの指示信号に応答して、前記補助電線に電流を流すことで、前記一次巻線を通過する前記電流に、不平衡を生じさせる。
【０００９】
本開示の一態様に係る分電盤は、上記の回路遮断器と、前記回路遮断器を保持するキャビネットと、を備える。
【００１０】
本開示の一態様に係る回路遮断器の駆動方法は、零相変流器と、引き外し部と、を備える回路遮断器の駆動方法である。前記零相変流器は、一次巻線を通過する電流に不平衡が生じた場合に、二次巻線から動作信号を出力する。前記一次巻線は、電源と負荷とを繋ぐ幹線、及び前記幹線以外の補助電線を含んでいる。前記引き外し部は、前記動作信号に応答して、前記幹線に電気的に接続される接点を閉状態から開状態へ移行させる引き外し動作を行う。前記駆動方法は、外部からの指示信号に応答して、前記補助電線に電流を流すことで、前記一次巻線を通過する前記電流に不平衡を生じさせることを含む。
【発明の効果】
【００１１】
本開示の回路遮断器、分電盤、回路遮断器の駆動方法によれば、構成の簡略化を図ることが可能である。
【図面の簡単な説明】
【００１２】
【図１】図１は、本開示の一実施形態に係る回路遮断器の概略構成を示す説明図である。
【図２】図２は、同上の回路遮断器を備えた分電盤の概略構成を示す説明図である。
【図３】図３は、同上の回路遮断器の正面図である。
【図４】図４は、同上の回路遮断器のカバーを外した状態の正面図である。
【図５】図５は、同上の回路遮断器の閉極時における断面図である。
【図６】図６は、同上の回路遮断器の開極時における断面図である。
【図７】図７は、変形例１に係る回路遮断器の概略構成を示す説明図である。
【図８】図８は、変形例２に係る回路遮断器の概略構成を示す説明図である。
【発明を実施するための形態】
【００１３】
（１）概要
本実施形態の回路遮断器２０について、図１〜図６を用いて説明する。以下に説明する実施形態では、回路遮断器２０が、分電盤１に設けられている主幹ブレーカ２であることを想定する。
【００１４】
図１に示すように、回路遮断器２０（主幹ブレーカ２）は、零相変流器ＺＣＴ１と、引き外し部（電磁釈放装置２６及び開閉機構部２２）と、駆動部５と、を備えている。本実施形態の回路遮断器２０は、テスト用漏電発生回路２９を更に備えている。
【００１５】
零相変流器ＺＣＴ１の一次巻線（一次側電路）は、電源Ｐ１（図２参照）と負荷Ｂ１とを繋ぎ、電源Ｐ１から負荷Ｂ１への電力の供給経路となる幹線９０、及び幹線９０以外の補助電線（ここでは、テスト用漏電発生回路２９に含まれるリード線２４１）を含んでいる。零相変流器ＺＣＴ１は、一次巻線を通過する電流（以下、「一次側電流」という）に不平衡が生じた場合に、二次巻線（二次側電路）から動作信号Ｓ１を出力する。
【００１６】
引き外し部（電磁釈放装置２６及び開閉機構部２２）は、零相変流器ＺＣＴ１からの動作信号Ｓ１に応答して、引き外し動作を行う。引き外し動作とは、引き外し部が、幹線９０に電気的に接続される接点Ｃ１を、閉状態から開状態へ移行させる動作である。
【００１７】
駆動部５は、外部（外部装置６）からの指示信号に応答して、一次巻線に含まれる補助電線（リード線２４１）に電流を流すことで、零相変流器ＺＣＴ１の一次巻線を通過する一次側電流に、不平衡を生じさせる。
【００１８】
より詳細には、図１に示すように、本実施形態の回路遮断器２０は、テスト用漏電発生回路２９を備えている。テスト用漏電発生回路２９は、テストスイッチ２９０を有している。テストスイッチ２９０は、機械的な操作入力を受け付けるテスト釦２９５への操作入力に応じて、オンされる。テスト用漏電発生回路２９は、テストスイッチ２９０がオンした場合に電流を流すことで、零相変流器ＺＣＴ１の一次巻線を通過する一次側電流に、不平衡を生じさせる。また、駆動部５は駆動スイッチ５１を備えている。駆動スイッチ５１は、テストスイッチ２９０と電気的に並列に接続されている。駆動スイッチ５１は、外部（外部装置６）からの指示信号に応答してオンされる。
【００１９】
図２に示すように、本実施形態の分電盤１は、回路遮断器２０（主幹ブレーカ２）と、回路遮断器２０を保持するキャビネット１０と、を備えている。
【００２０】
上記のように、本実施形態の回路遮断器２０は、駆動部５を備えている。駆動部５は、外部からの指示信号に応答して、零相変流器ＺＣＴ１の一次巻線に含まれる補助電線（幹線９０以外の電線）に電流を流すことで、零相変流器ＺＣＴ１の一次巻線を通過する一次側電流に、不平衡を生じさせる。零相変流器ＺＣＴ１の一次側電流に不平衡が生じると、引き外し部が引き外し動作を行うことで回路遮断器２０の接点Ｃ１が開極されて、幹線９０が遮断される。したがって、例えば地震等の周囲環境における異常が発生した場合に、外部から指示信号を駆動部５に送信することで、幹線９０を遮断することが可能となる。
【００２１】
また、本実施形態の回路遮断器２０は、特許文献１の感震ブレーカアダプタのような、地震等の発生時に駆動されて回路遮断器２０のハンドル２１（操作レバー）を移動させる機構が、不要である。そのため、構成の簡略化を図ることが可能となる。
【００２２】
（２）構成
以下、本実施形態の回路遮断器２０及び分電盤１について、図１〜図６を用いてより詳細に説明する。以下の説明では、特に断りがない限り、図２、図３に示す仮想的な矢印の方向によって、回路遮断器２０及び分電盤１の上下左右を規定する。また、図２、図３の紙面から奥に向かう向きを「後方」、その逆を「前方」として説明する。ただし、これらの方向の規定は、回路遮断器駆動システム１００及び分電盤１の使用態様を限定する趣旨ではない。
【００２３】
（２．１）分電盤
図２に示すように、分電盤１は、主幹ブレーカ２（回路遮断器２０）と、複数の分岐ブレーカ３と、これらを収容するキャビネット１０と、を備えている。本実施形態では、分電盤１は、一例として戸建住宅に設置される場合を例示するが、この例に限らない。分電盤１は、設置可能な施設であれば、例えば集合住宅の各住戸、事務所、店舗、工場、及び病院等の施設に設置されてもよい。
【００２４】
主幹ブレーカ２は、キャビネット１０の内部に配置されている。主幹ブレーカ２は、キャビネット１０に保持されている。主幹ブレーカ２は、一次側端子２１０と、二次側端子２２０とを備えている。本実施形態の分電盤１では配電方式として単相三線式を想定しているので、主幹ブレーカ２の一次側端子２１０には、電源Ｐ１（系統電源（商用電源））の単相三線式の引き込み線が電気的に接続される。また、主幹ブレーカ２の二次側端子２２０には、第１電圧極（Ｌ１相）の導電バー、第２電圧極（Ｌ１２相）の導電バー、及び中性極（Ｎ相）の導電バーが接続されている。主幹ブレーカ２の詳細については、「（２．２）主幹ブレーカ」の欄で説明する。
【００２５】
図２に示すように、複数の分岐ブレーカ３は、導電バー９の上側と下側とに分かれて、それぞれ複数個ずつ左右方向に並ぶように配置されている。各分岐ブレーカ３は、一対の一次側端子と、一対の二次側端子とを備えている。分岐ブレーカ３には１００Ｖ用と２００Ｖ用がある。１００Ｖ用の分岐ブレーカ３が備える一対の一次側端子は、第１電圧極（Ｌ１相）の導電バー９及び第２電圧極（Ｌ２相）の導電バー９のうちの一方と、中性極（Ｎ相）の導電バー９とにそれぞれ電気的に接続される。２００Ｖ用の分岐ブレーカ３が備える一対の一次側端子は、第１電圧極の導電バー９と、第２電圧極の導電バー９とにそれぞれ電気的に接続される。また、分岐ブレーカ３の二次側端子には、対応する配線が電気的に接続される。各分岐ブレーカ３の二次側端子に接続された配線には、例えば照明器具や空調機器、テレビ受像器、給湯設備等の機器、又は壁スイッチ等の配線器具が負荷Ｂ１として１つ以上接続可能である。なお、図２では、便宜上、３つの導電バー９を一つに纏めて図示している。
【００２６】
（２．２）主幹ブレーカ
次に、本実施形態の主幹ブレーカ２（回路遮断器２０）について、図１、図３〜図５を参照して説明する。
【００２７】
上述のように、主幹ブレーカ２は、零相変流器ＺＣＴ１と、テスト用漏電発生回路２９と、引き外し部（電磁釈放装置２６及び開閉機構部２２）と、駆動部５と、を備えている。また、図１、図３、図４に示すように、主幹ブレーカ２は、ケース２００と、一次側端子２１０と、二次側端子２２０と、ハンドル（操作レバー）２１と、接点機構２３と、接続線２４と、引き外し装置２５と、を更に備えている。
【００２８】
ケース２００は、合成樹脂から中空の直方体状に形成されている。ケース２００は、前面が開口するボディ２００ａ（図４、図５参照）と、後面が開口してボディ２００ａの開口を覆うようにボディ２００ａに結合されるカバー２００ｂ（図３、図５参照）とで構成されている。ケース２００は、その上端部の中央から左端にかけて、左右方向に沿った端子台２０１を備えており、その上端部の右端に、上方に延びる端子取付け部２０２を備えている。また、ケース２００の前壁（カバー２００ｂの前壁）の中央には、矩形状に開口するハンドル挿通孔２０３が形成されている。
【００２９】
３つの一次側端子２１０の各々は、端子板２１１及び端子ねじ２１２を備えたねじ付き端子である。３つの一次側端子２１０は、端子台２０１の前面に、左右方向に並んで設けられている。３つの一次側端子２１０には、電源Ｐ１の単相三線式の引き込み線が電気的に接続される。具体的には、左側の一次側端子２１０に単相三線式の第１電圧線（Ｌ１相）が接続され、右側の一次側端子２１０に第２電圧線（Ｌ２相）が接続され、中央の一次側端子２１０に中性線（Ｎ相）が接続される。
【００３０】
３つの二次側端子２２０は、端子取付け部２０２の右側面から突出するように配置されている。３つの二次側端子２２０には、それぞれ母線となる導電バー９が、端子ねじを用いて接続される。具体的には、上側の二次側端子２２０に第１電圧極（Ｌ１相）の導電バー９が接続され、下側の二次側端子２２０に第２電圧極（Ｌ２相）の導電バー９が接続され、中央の二次側端子２２０に中性極（Ｎ相）の導電バー９が接続される。
【００３１】
一次側端子２１０と二次側端子２２０とは、１対１に対応している。対応する一次側端子２１０と二次側端子２２０とは、接点機構２３と接続線２４とを介して互いに接続されている。つまり、３つの一次側端子２１０と３つの二次側端子２２０とが、３つの接点機構２３と３つの接続線２４とにより、それぞれ接続されている。
【００３２】
図４〜図６に示すように、各接点機構２３は、接点保持片２３１と、可動接触子２３２と、を備えている。
【００３３】
接点保持片２３１は、対応する一次側端子２１０の端子板２１１の下端縁から延びており、その先端部（下端部）の前面に固定接点２３３が設けられている。可動接触子２３２は、上下方向に長い矩形板状であり、その上端部の後面に可動接点２３４が設けられている。可動接触子２３２は、可動接点２３４が固定接点２３３と接触する閉極位置（図５参照）と可動接点２３４が固定接点２３３から離間する開極位置（図６参照）との間で移動可能となるように配置されている。可動接点２３４と固定接点２３３とで、主幹ブレーカ２（回路遮断器２０）の接点Ｃ１が構成される。つまり、一次側端子２１０と二次側端子２２０とを繋ぐ（電源Ｐ１と負荷Ｂ１とを繋ぐ）幹線９０に、接点Ｃ１が電気的に接続されている。
【００３４】
各可動接触子２３２は、接続線２４を介して、対応する二次側端子２２０に接続されている。なお、図１、図４に示すように、第１電圧線（Ｌ１相）に対応する可動接触子２３２と接続線２４との間には、引き外し装置２５が接続されている。また、第２電圧線（Ｌ２相）に対応する可動接触子２３２と接続線２４との間には、別の引き外し装置２５が接続されている。
【００３５】
ハンドル２１は、合成樹脂の成型品からなる。ハンドル２１は、ハンドル挿通孔２０３を通してケース２００から露出する操作部２１ａを有している。ハンドル２１は、操作部２１ａの下端の後部に、ハンドル軸２１２を受ける軸受部を有しており、このハンドル軸２１２の周りで回転可能となっている。ハンドル２１は、操作部２１ａを操作されることで、操作部２１ａがハンドル挿通孔２０３の開口面と略面一となる閉位置（図５参照）と、操作部２１ａがハンドル挿通孔２０３から突出する開位置（図６参照）との間で回転可能となっている。ハンドル２１にはトーションばね２１３が取り付けられており、ハンドル２１はこのトーション２１３ばねから、閉位置から開位置に向かう向きの力を受けている。
【００３６】
開閉機構部２２は、ハンドル２１の操作部２１ａへの操作に応じて、３つの接点Ｃ１を開閉させる。開閉機構部２２は、複数のリンク２２２及びばね２２３を組み合わせて構成される。操作部２１ａへの操作によって、ハンドル２１が開位置から閉位置へ移動すると、開閉機構部２２は３個の可動接触子２３２を開極位置から閉極位置へ移動させて、接点Ｃ１を閉じる。開閉機構部２２は、接点Ｃ１が閉じた状態（可動接触子２３２が閉極位置にある状態）では、接点Ｃ１を開く向きのエネルギー（ばねの弾性力による位置エネルギー）を蓄積して、ラッチされる。開閉機構部２２は、ラッチが解除されると、蓄積したエネルギーを解放して可動接触子２３２を移動させることにより、接点Ｃ１を急速に開く。また、操作部２１ａへの操作によって、ハンドル２１が閉位置から開位置へ移動すると、開閉機構部２２は３個の可動接触子２３２を閉極位置から開極位置へ移動させて、接点Ｃ１を開く。
【００３７】
図４〜図６に示すように、開閉機構部２２の下側には、前後方向及び左右方向に長い板状の連動バー２７が配置されている。連動バー２７は、２つの引き外し装置２５及び電磁釈放装置２６のいずれかが駆動されると、左右方向に沿った回転軸の周りで回転して、開閉機構部２２のラッチを解除する。
【００３８】
引き外し装置２５は、幹線９０に短絡電流等の異常電流（過電流）が流れたときに、連動バー２７を駆動させて、開閉機構部２２のラッチを解除する。
【００３９】
電磁釈放装置２６は、コイルを含む電磁石装置、及びプランジャを備えている。電磁釈放装置２６は、幹線９０に漏電電流が流れた場合（零相変流器ＺＣＴ１の一次巻線を通過する電流に不平衡が生じた場合）に、コイルに励磁電流を流すことでプランジャを動かして連動バー２７を駆動させ、開閉機構部２２のラッチを解除する。なお、開閉機構部２２、引き外し装置２５、電磁釈放装置２６は、周知の構造で実現されてよいので、詳しい説明は省略する。
【００４０】
図４に示すように、ケース２００の内部空間の下側の部分には、零相変流器ＺＣＴ１と、プリント基板からなる回路基板２８と、が収容されている。回路基板２８には、漏電電流の発生を検知する漏電保護回路を構成するための回路部品が実装される。また、回路基板２８には、テスト用漏電発生回路２９を構成するための回路部品も実装される。ここでいうテスト用漏電発生回路２９は、テスト釦２９５への操作入力に応じて、零相変流器ＺＣＴ１の一次巻線を通過する電流（一次側電流）に不平衡を生じさせる（擬似的に漏電状態を生じさせる）回路である。
【００４１】
零相変流器ＺＣＴ１はトロイダルコアを備えており、トロイダルコアの中央孔に、３本の接続線２４が一次巻線として貫通している。すなわち、トロイダルコアの中央孔には、幹線９０が一次巻線として貫通している。また、トロイダルコアの中央孔には、テスト用漏電発生回路２９に含まれるリード線２４１も、一次巻線として貫通している。すなわち、トロイダルコアの中央孔には、幹線９０以外の補助電線（リード線２４１）が一次巻線として貫通している。零相変流器ＺＣＴ１の二次巻線は、回路基板２８に設けられた漏電保護回路に接続されている。零相変流器ＺＣＴ１は、一次巻線を通過する一次側電流に不平衡が生じると、二次巻線から動作信号Ｓ１を出力する。漏電保護回路は、零相変流器ＺＣＴ１の動作信号Ｓ１に基づいて一次側電流（零相変流器ＺＣＴの一次巻線を通過する電流）の不平衡（つまり、漏電状態の発生）を検出すると、電磁釈放装置２６を駆動させる。
【００４２】
電磁釈放装置２６の枠体２６１の前面の下側の部分には、固定接点板と、可動接点板２９１と、が前後方向に並んで（可動接点板２９１が手前側）設けられている。可動接点板２９１は、帯板状であって前後方向に延びる基部及び基部の前端から左方に延びる接触部を有しており、接触部の左端の後面が固定接点板の一端と対向するように、基部が枠体２６１に固定されている。可動接点板２９１の基部は、零相変流器ＺＣＴ１のトロイダルコアを貫通するリード線２４１を介して、引き外し装置２５が接続された接続線２４（ここでは第１電圧線に対応する接続線２４）に接続されている。また、固定接点板の他端は、別の引き外し装置２５が接続された接続線２４（ここでは第２電圧線に対応する接続線２４）に接続されている。ここにおいて、固定接点板と可動接点板２９１（接触部）とで、テストスイッチ２９０が構成されている。
【００４３】
図４に示すように、ケース２００のカバー２００ｂには、可動接点板２９１の接触部と対向する位置に貫通孔が形成されており、この貫通孔に、テスト釦２９５が前後方向に移動可能に配置されている。操作者等に押されることによってテスト釦２９５が後方に移動すると、可動接点板２９１の左端部がテスト釦２９５によって押されて可動接点板２９１が撓められ、可動接点板２９１の接触部が固定接点板と接触導通して、テストスイッチ２９０がオンする。
【００４４】
テスト用漏電発生回路２９は、上記のテストスイッチ２９０（可動接点板２９１及び固定接点板）とリード線２４１との直列回路を備えている。テスト用漏電発生回路２９は、ケース２００内に収容されている。テスト用漏電発生回路２９は、第１電圧線に対応する接続線２４と第２電圧線に対応する接続線２４との間に、接続されている。
【００４５】
テスト用漏電発生回路２９では、テスト釦２９５への操作によってテストスイッチ２９０がオンされると、第１電圧線に対応する接続線２４と第２電圧線に対応する接続線２４とがテストスイッチ２９０を介して短絡される。これにより、零相変流器ＺＣＴ１のトロイダルコアを貫通するリード線２４１（補助電線）に電流が流れ、零相変流器ＺＣＴ１の一次巻線を通過する一次側電流に不平衡が生じる（擬似的な漏電状態が生じる）。
【００４６】
図１に示すように、駆動部５は、駆動スイッチ５１と、受信部５２と、制御回路５３と、を備えている。なお、便宜上、図４〜図６では駆動部５の図示を省略している。
【００４７】
図１に示すように、駆動スイッチ５１は、テスト用漏電発生回路２９のテストスイッチ２９０と並列に接続されている。駆動スイッチ５１は、ここでは回路基板２８に実装されている。なお、駆動スイッチ５１は、フォトモスリレー、ソリッドステートリレー等の半導体リレーでもよいし、機械的な接点装置を備えたリレー等でもよい。
【００４８】
受信部５２は、無線通信用の通信インタフェースを備えている。受信部５２は、外部装置６から信号を受信する機能を有している。受信部５２と外部装置６との通信方式は、例えば９２０ＭＨｚ帯の特定小電力無線局（免許を要しない無線局）、Ｗｉ−Ｆｉ（登録商標）、Ｂｌｕｅｔｏｏｔｈ（登録商標）等の通信規格に準拠した、電波を媒体とした無線通信であってもよい。なお、受信部５２と外部装置６との間の通信方式は、有線ＬＡＮ（Local Area Network）等の通信規格に準拠した有線通信であってもよい。本実施形態では、受信部５２と外部装置６との間の通信方式は、例えばインターネット等のネットワークＮ１を介した無線通信である。
【００４９】
指示信号は、例えば、分電盤１の周囲環境における異常の発生を示す異常発生信号である。異常発生信号は、例えば、周囲環境における異常としての地震の発生を示す地震発生信号（例えば、緊急地震速報に基づく信号）である。ただし、異常発生信号が示す周囲環境における異常は、地震に限られず、例えば地震以外の災害であってもよい。地震以外の災害の例としては、分電盤１が設けられている施設への浸水、火災等が挙げられる。また、周囲環境における異常は、災害に限られず、例えば、電源Ｐ１から負荷Ｂ１への給電経路のどこかに過電流が流れること等であってもよい。また、指示信号は、異常発生信号に限られず、受信部５２が受信可能な適宜の電気信号、例えば、専用のアプリケーションソフトがインストールされた情報端末６１からの信号等であってもよい。
【００５０】
制御回路５３は、駆動スイッチ５１のオンオフを制御する。制御回路５３は、外部からの指示信号に応答して、駆動スイッチ５１をオンする。制御回路５３を構成するための回路部品は、回路基板２８に実装されている。
【００５１】
（３）動作説明
以下、本実施形態の回路遮断器２０の動作について、説明する。
【００５２】
回路遮断器２０は、幹線９０を流れる電流が定格値（例えば、定格感度電流）以下の場合、接点Ｃ１を閉じて、幹線９０に電流が流れることを許容する。
【００５３】
回路遮断器２０では、幹線９０に短絡電流等の異常電流（過電流）が流れると、引き外し装置２５が駆動されて連動バー２７により開閉機構部２２のラッチが解除され、３個の可動接触子２３２が閉極位置から開極位置へ移動して接点Ｃ１が開かれる。これにより、回路遮断器２０では、幹線９０に異常電流が流れ続けるのが抑制される。
【００５４】
また、回路遮断器２０では、漏電等の発生によって幹線９０を流れる電流に不平衡が生じると、零相変流器ＺＣＴ１の一次巻線（幹線９０を含む）を通過する一次側電流に不平衡が生じる。一次側電流に不平衡が生じると、零相変流器ＺＣＴ１は、二次巻線から動作信号Ｓ１（二次側電流）を出力する。電磁釈放装置２６は、動作信号Ｓ１に応じて駆動され、連動バー２７を介して開閉機構部２２のラッチを解除して、接点Ｃ１を開く。つまり、引き外し部（電磁釈放装置２６及び開閉機構部２２）が、動作信号Ｓ１に応答して駆動されて、接点Ｃ１を開く。これにより、幹線９０に漏電電流が流れ続けるのが抑制される。
【００５５】
また、回路遮断器２０では、テスト釦２９５が操作される（押される）と、テストスイッチ２９０がオンされ、テスト用漏電発生回路２９の両端間が、テストスイッチ２９０を介して短絡される。これにより、テストスイッチ２９０に直列に接続されているリード線２４１に、電流が流れる。リード線２４１に電流が流れると、零相変流器ＺＣＴ１の一次巻線（補助電線であるリード線２４１を含む）を通過する一次側電流に、不平衡が生じる。これにより、零相変流器ＺＣＴ１が動作信号Ｓ１を出力して電磁釈放装置２６を駆動し、その結果、接点Ｃ１が開かれる。このように、使用者は、テスト釦２９５を操作することで、回路遮断器２０が正常に動作するか、すなわち、漏電状態が生じた場合に幹線９０が正常に遮断されるか、をテストすることができる。
【００５６】
また、回路遮断器２０では、受信部５２が指示信号を受け取ると、制御回路５３が駆動スイッチ５１をオンする。これにより、テスト用漏電発生回路２９の両端間が、駆動スイッチ５１を介して短絡され、リード線２４１（補助電線）に電流が流れる。そして、零相変流器ＺＣＴ１の一次巻線（補助電線であるリード線２４１を含む）を通過する一次側電流に、不平衡が生じる。その結果、テスト釦２９５が押された場合と同様に引き外し部（電磁釈放装置２６及び開閉機構部２２）が駆動され、接点Ｃ１が開かれる。したがって、本実施形態の回路遮断器２０では、外部からの指示信号、例えば地震の発生を示す地震発生信号に応答して、接点Ｃ１を開極させることが可能となる。
【００５７】
（４）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００５８】
（４．１）変形例１
図７は、変形例１の回路遮断器２０を示す。本変形例の回路遮断器２０では、駆動部５が、受信部５２と、アクチュエータ５４と、を備えている。受信部５２及びアクチュエータ５４は、ケース２００内に収容されている。
【００５９】
受信部５２は、外部装置６からの指示信号を受け取る。なお、本変形例の受信部５２の構成は、実施形態の受信部５２と同様なので、説明は省略する。
【００６０】
アクチュエータ５４は、受信部５２が受け取った指示信号に応答して、テストスイッチ２９０をオンさせるように動作する。アクチュエータ５４は、指示信号に応じて動作して可動接点板２９１（図４参照）を押すことで、テストスイッチ２９０をオンさせる。アクチュエータ５４が動作すると、テスト釦２９５が押された場合と同様に、テスト用漏電発生回路２９の両端間がテストスイッチ２９０を介して短絡され、補助電線であるリード線２４１に電流が流れる。そして、零相変流器ＺＣＴ１の一次巻線（補助電線であるリード線２４１を含む）を通過する一次側電流に、不平衡が生じる。その結果、零相変流器ＺＣＴ１が動作信号Ｓ１を出力して引き外し部（電磁釈放装置２６及び開閉機構部２２）が駆動され、接点Ｃ１が開かれる。したがって、本変形例の回路遮断器２０でも、外部からの指示信号、例えば地震の発生を示す地震発生信号に応答して、接点Ｃ１を開極させることが可能となる。
【００６１】
なお、アクチュエータ５４の種類は特に限定されず、例えば電気式でも空圧式でもよいし、直線運動式でも回転運動式でもよい。アクチュエータ５４は、駆動用の電源なしで動作できることが好ましい。また、アクチュエータ５４は、指示信号に応じてテスト釦２９５を動作させる（後方に移動させる）ことで、間接的にテストスイッチ２９０をオンさせてもよい。
【００６２】
（４．２）変形例２
図８は、変形例２の回路遮断器２０を示す。本変形例の回路遮断器２０では、駆動部５が、駆動用回路５５を備えている。
【００６３】
図８に示すように、駆動用回路５５は、幹線９０と電気的に絶縁されている。また、駆動用回路５５は、テスト用漏電発生回路２９と電気的に絶縁されている。
【００６４】
駆動用回路５５は、リード線５５１を備えている。リード線５５１は、ケース２００内に収容されている。リード線５５１は、零相変流器ＺＣＴ１のトロイダルコアの中央孔を貫通している。つまり、リード線５５１は、零相変流器ＺＣＴ１の一次巻線に含まれており幹線９０以外の電線である、補助電線を構成する。
【００６５】
図８に示すように、駆動用回路５５は、スイッチ５６を介して電源Ｐ１の両端間に接続されている。スイッチ５６は、受信部５７に接続されており、外部装置６からの指示信号を受信部５７が受け取った場合にオンされる。
【００６６】
外部装置６からの指示信号に応じて、スイッチ５６がオンされると、駆動用回路５５の両端間に電源Ｐ１が接続され、リード線５５１（補助電線）に電流が流れる。リード線５５１に電流が流れると、零相変流器ＺＣＴ１の一次巻線（補助電線であるリード線５５２を含む）を通過する一次側電流に、不平衡が生じる。すなわち、駆動用回路５５は、外部装置６からの指示信号に応じて電流が流れることで、一次側電流に不平衡を生じさせる。一次側電流に不平衡が生じると、零相変流器ＺＣＴ１が二次巻線から動作信号Ｓ１を出力して、引き外し部（電磁釈放装置２６及び開閉機構部２２）を駆動し、その結果、接点Ｃ１が開かれる。
【００６７】
このように、本変形例の回路遮断器２０でも、外部からの指示信号、例えば地震の発生を示す地震発生信号に応答して、接点Ｃ１を開極させることが可能となる。
【００６８】
（４．３）その他の変形例
外部装置６は、例えば、携帯端末、サーバのような分電盤１の外側に配置される機器であるが、これに限られず、分電盤１内に設けられており分電盤１内を通過する電力の計測機能及び外部との通信機能を有する装置である計測アダプタ等であってもよい。
【００６９】
回路遮断器２０は、主幹ブレーカ２に限られず、例えば分岐ブレーカ３、連携ブレーカ等であってもよい。
【００７０】
（５）まとめ
以上説明した実施形態及び変形例等から以下の態様が開示されている。
【００７１】
第１の態様の回路遮断器（２０）は、零相変流器（ＺＣＴ１）と、引き外し部（電磁釈放装置２６及び開閉機構部２２）と、駆動部（５）と、を備えている。零相変流器（ＺＣＴ１）は、一次巻線を通過する電流に不平衡が生じた場合に、二次巻線から動作信号（Ｓ１）を出力する。一次巻線は、電源（Ｐ１）と負荷（Ｂ１）とを繋ぐ幹線（９０）、及び幹線９０以外の補助電線（リード線２４１、５５１）を含んでいる。引き外し部は、動作信号（Ｓ１）に応答して、幹線（９０）に電気的に接続される接点（Ｃ１）を閉状態から開状態へ移行させる引き外し動作を行う。駆動部（５）は、外部（外部装置６）からの指示信号に応答して、補助電線に電流を流すことで、一次巻線を通過する電流に不平衡を生じさせる。
【００７２】
この態様によれば、例えば地震等の周囲環境における異常が発生した場合に、外部から指示信号を駆動部（５）に送信することで、幹線（９０）を遮断することが可能となる。また、特許文献１の感震ブレーカアダプタのような、地震の発生時に駆動されて回路遮断器（２０）のハンドル（２１）を移動させる機構が、不要である。そのため、構成の簡略化を図ることが可能となる。
【００７３】
第２の態様の回路遮断器（２０）は、第１の態様において、テスト用漏電発生回路（２９）を備えている。テスト用漏電発生回路（２９）は、テストスイッチ（２９０）を有している。テストスイッチ（２９０）は、機械的な操作入力を受け付けるテスト釦（２９５）への操作入力に応じてオンされる。テスト用漏電発生回路（２９）は、テストスイッチ（２９０）がオンした場合に電流を流すことで、一次巻線を通過する電流に不平衡を生じさせる。補助電線（リード線２４１）は、テスト用漏電発生回路（２９）に含まれている。駆動部（５）は、駆動スイッチ（５１）を備える。駆動スイッチ（５１）は、テストスイッチ（２９０）と電気的に並列に接続されている。駆動スイッチ（５１）は、指示信号に応答してオンされる。
【００７４】
この態様によれば、簡易な構成で、駆動部（５）を実現可能である。また、回路遮断器（２０）に従来設けられているテスト用漏電発生回路（２９）の構成を変更することなく、実現可能である。
【００７５】
第３の態様の回路遮断器（２０）は、第１又は第２の態様において、テスト用漏電発生回路（２９）を備えている。テスト用漏電発生回路（２９）は、テストスイッチ（２９０）を有している。テストスイッチ（２９０）は、機械的な操作入力を受け付けるテスト釦（２９５）への操作入力に応じてオンされる。テスト用漏電発生回路（２９）は、テストスイッチ（２９０）がオンした場合に電流を流すことで、一次巻線を通過する電流に不平衡を生じさせる。補助電線（リード線２４１）は、テスト用漏電発生回路（２９）に含まれている。駆動部（５）は、アクチュエータ（５４）を備える。アクチュエータ（５４）は、指示信号に応答して動作して、テストスイッチ（２９０）をオンする。
【００７６】
この態様によれば、簡易な構成で、駆動部（５）を実現可能である。また、回路遮断器（２０）に従来設けられているテスト用漏電発生回路（２９）の構成を変更することなく、実現可能である。
【００７７】
第４の態様の回路遮断器（２０）は、第１〜第３のいずれか１つの態様において、駆動部（５）は、駆動用回路（５５）を備える。駆動用回路（５５）は、幹線（９０）と電気的に絶縁されている。駆動用回路（５５）は、補助電線（リード線５５１）を含んでいる。駆動用回路（５５）は、指示信号に応じて電流が流れることで、一次巻線を通過する電流に不平衡を生じさせる。
【００７８】
この態様によれば、簡易な構成で、駆動部（５）を実現可能である。また、回路遮断器（２０）に従来設けられているテスト用漏電発生回路（２９）の構成を変更することなく、実現可能である。
【００７９】
第５の態様の分電盤（１）は、第１〜第４のいずれか１つの態様の回路遮断器（２０）と、回路遮断器（２０）を保持するキャビネット（１０）と、を備える。
【００８０】
この態様によれば、上記の回路遮断器（２０）を備えた分電盤（１）を実現可能である。
【００８１】
第６の態様の回路遮断器の駆動方法は、零相変流器（ＺＣＴ１）と、引き外し部（電磁釈放装置２６及び開閉機構部２２）と、を備える回路遮断器（２０）の駆動方法である。零相変流器（ＺＣＴ１）は、一次巻線を通過する電流に不平衡が生じた場合に、二次巻線から動作信号（Ｓ１）を出力する。一次巻線は、電源（Ｐ１）と負荷（Ｂ１）とを繋ぐ幹線（９０）、及び幹線（９０）以外の補助電線（リード線２４１、５５１）を含んでいる。引き外し部は、動作信号（Ｓ１）に応答して、幹線（９０）に電気的に接続される接点（Ｃ１）を閉状態から開状態へ移行させる引き外し動作を行う。この駆動方法は、外部からの指示信号に応答して、補助電線に電流を流すことで、一次巻線を通過する電流に不平衡を生じさせることを含む。
【００８２】
この態様によれば、例えば地震等の周囲環境における異常が発生した場合に、外部からの指示信号に応じて、幹線（９０）を遮断することが可能となる。また、特許文献１の感震ブレーカアダプタのような、地震の発生時に駆動されて回路遮断器（２０）のハンドル（２１）を移動させる機構が、不要である。そのため、構成の簡略化を図ることが可能となる。
【００８３】
第２〜第４の態様に係る構成は、回路遮断器（２０）に必須の構成ではなく、適宜省略可能である。
【符号の説明】
【００８４】
１  分電盤
１０  キャビネット
２０  回路遮断器
２２  開閉機構部（引き外し部）
２４１  リード線（補助電線）
２６  電磁釈放装置（引き外し部）
２９  テスト用漏電発生回路
２９０  テストスイッチ
２９５  テスト釦
５  駆動部
５１  駆動スイッチ
５４  アクチュエータ
５５  駆動用回路
５５１  リード線（補助電線）
９０  幹線
Ｂ１  負荷
Ｐ１  電源
Ｓ１  動作信号
ＺＣＴ１  零相変流器
【図１】
2020080235.tif 000003
【図２】
2020080235.tif 000004
【図３】
2020080235.tif 000005
【図４】
2020080235.tif 000006
【図５】
2020080235.tif 000007
【図６】
2020080235.tif 000008
【図７】
2020080235.tif 000009
【図８】
2020080235.tif 000010